(57)【特許請求の範囲】
【請求項１】
マットレス載置部を構成する上半身側マットレス載置部、中央マットレス載置部及び脚部側マットレス載置部に分割配置したベッドであって、その上半身側マットレス載置部は、右載置部及び左載置部を備え、当該右載置部と左載置部とはヘッドボード側を伸縮可能な第１連結部材で連結するとともに中央マットレス載置部側を支持バーで連結し、第１連結部材と支持バーとは伸縮可能な複数の第２連結部材で連結し、右載置部及び左載置部を前記支持バーにおけるベッドの幅方向に平行な軸を中心としてアクチェータによってそれぞれ独立して回動可能に支持し、前記右載置部と前記左載置部との間に配置される第１連結部材及び第２連結部材を傾動可能に構成したベッド。
【請求項２】
前記右及び左載置部の互いの回動量の差が所定量以下になるように前記アクチェータの動作をコントロール可能な制御装置を備えた請求項１に記載のベッド。
【請求項３】
前記右及び左載置部は、前記ベッドの幅方向に傾斜しないように回動可能である請求項１または２に記載のベッド。
【請求項４】
前記第１及び第２連結部材の各端部に回動可能な支持部を設けた請求項１〜３のいずれか一項に記載のベッド。
【請求項５】
前記第１及び第２連結部材の上側に保護カバーを設けた請求項１〜４のいずれか一項に記載のベッド。
【発明の詳細な説明】
【０００１】
【発明の属する技術分野】
本発明は、例えば、介護に用いられるベッドに関するものである。
【０００２】
【従来の技術】
従来より、介護用ベッドにおいて、マットレス載置部の全体または一部を該ベッドの幅方向に傾動可能にしたものが検討されている。このマットレス載置部の傾動により、被介護者は体の向きを前記幅方向に変化させることができるようになる。
【０００３】
特開平１−２３８８５９公報及び特開平１１−２３９５２４公報には、分割された板状のマットレス載置部が、蝶番などにより回動可能に連結されたベッドが開示されている。前者の公報に開示されたベッドでは、前記マットレス載置部が前記長手方向及び前記幅方向に分割された四角形状の板からなっており、前記長手方向及び前記幅方向の一方のみに傾動可能になっている。このベッドによれば、前記マットレス載置部を前記蝶番を支点として前記幅方向に傾動させることで、前記被介護者の床ずれが容易に防止されるようになるとともに、寝返りや、片麻痺の前記被介護者の肩落ちの修正などが容易にできるようになる。しかし、このベッドでは、前記マットレス載置部を前記幅方向に傾動させる際には、同時に前記長手方向に傾動させることは不可能である。
【０００４】
これに対し、前記後者の公報に開示されたベッドでは、前記マットレス載置部は前記長手方向及び前記幅方向に対して傾斜した分割線を有するように、例えば三角形状の板などが形成されるように分割されている。これら分割された板状のマットレス載置部が蝶番などによって回動可能に連結されている。これにより、前記マットレス載置部が、前記長手方向及び前記幅方向に同時に傾動可能になっている。このベッドによれば、前述の前者の公報に開示されたベッドの効果に加えて、着替え、飲食時の気道の確保、体を起こすことなどが容易に可能になる。
【０００５】
【発明が解決しようとする課題】
しかしながら、前記後者の公報に開示されたベッドでは、板材の組み合わせで前記マットレス載置部が構成されているため、傾動後の前記マットレス載置部の形状（つまり該マットレス載置部に載置されたマットレスの形状）は凹凸の激しいものとなり、被介護者に快適な姿勢を提供することが困難である。さらに、板状の前記マットレス載置部同士の連結構造では、傾動の自由度が低いという不具合がある。
【０００６】
本発明の目的は、床ずれを防止するとともに寝返り、着替え、飲食時の気道の確保、体を起こすこと、片麻痺の被介護者の肩落ちの修正などを容易にすることができ、傾動の自由度が高く、被介護者が快適な姿勢を保つことができるベッドを提供することにある。
【０００７】
【課題を解決するための手段】
上記問題点を解決するために、請求項１に記載の発明は、マットレス載置部を構成する上半身側マットレス載置部、中央マットレス載置部及び脚部側マットレス載置部に分割配置したベッドであって、その上半身側マットレス載置部は、右載置部及び左載置部を備え、当該右載置部と左載置部とはヘッドボード側を伸縮可能な第１連結部材で連結するとともに中央マットレス載置部側を支持バーで連結し、第１連結部材と支持バーとは伸縮可能な複数の第２連結部材で連結し、右載置部及び左載置部を前記支持バーにおけるベッドの幅方向に平行な軸を中心としてアクチェータによってそれぞれ独立して回動可能に支持し、前記右載置部と前記左載置部との間に配置される第１連結部材及び第２連結部材を傾動可能に構成したことを要旨とする。
【０００８】
この発明によれば、分割配置されたマットレス載置部のうち、上半身側に対応する載置部の右載置部及び左載置部が支持バーにおけるベッドの幅方向に平行な軸を中心としてそれぞれ独立して回動可能になる。この独立回動により、前記マットレス載置部上に載置したマットレスを、前記ベッドの長手方向のみならず幅方向にも傾斜させることが可能になる。これにより、体圧の分散を図ることが可能になるため、床ずれの防止が可能になる。また、前記マットレスの幅方向への傾斜により、寝返り、着替え、飲食時の気道の確保、体を起こすこと、片麻痺の被介護者の肩落ちの修正などが容易になる。また、前記右載置部と前記左載置部との間に配置された第１連結部材及び第２連結部材は伸縮可能な構造であるため、前記右載置部の傾斜角度と前記左載置部の傾斜角度とが互いに異なる状態でも、前記右載置部と前記左載置部との間に大きな凹凸が形成されることがなくなる。したがって、前記マットレス上の被介護者は快適な姿勢を保つことができる。さらに、前記右及び左載置部はアクチェータ５１によって互いに独立して回動可能となっているため、前記マットレスの傾動の自由度が高くなる。
【０００９】
請求項２に記載の発明は、請求項１に記載のベッドにおいて、前記右及び左載置部の互いの回動量の差が所定量以下になるように前記アクチェータの動作をコントロール可能な制御装置を備えたことを要旨とする。
【００１０】
この発明によれば、前記右及び左載置部の互いの回動量の差が所定量以下になるため、前記ベッドの幅方向についての前記マットレスの傾斜角度が所定角度を超えることがなくなる。これにより、前記マットレス上の被介護者を前記幅方向に傾斜させすぎる虞がなくなる。
【００１１】
請求項３に記載の発明は、請求項１または２に記載のベッドにおいて、前記右及び左載置部は、前記ベッドの幅方向に傾斜しないように回動可能であることを要旨とする。
【００１２】
この発明によれば、前記右及び左載置部は、回動してもベッドの幅方向には傾斜しない。例えば、前記右及び左載置部に手すりを設置した際には、前記回動によって該手すりが前記幅方向に傾斜する虞がなくなる。
【００１３】
請求項４に記載の発明は、請求項１〜３のいずれか一項に記載のベッドにおいて、前記第１及び第２連結部材の各端部に回動可能な支持部を設けたことを要旨とする。
この発明によれば、各連結部材は、各支持部によって、主に各載置部の回動軌跡の円周方向に回動可能に支持されるようになる。
【００１４】
請求項５に記載の発明は、請求項１〜４のいずれか一項に記載のベッドにおいて、前記第１及び第２連結部材の上側に保護カバーを設けたことを要旨とする。
【００１５】
この発明によれば、前記第１及び第２連結部材側に塗布された潤滑油や防錆油のマットレス側への付着の防止が可能になるとともに、該マットレス側の表面生地などの巻き込みの防止が可能になる。
【００１６】
【発明の実施の形態】
以下、本発明の一実施形態を図１〜図６に従って説明する。
図１に示すように、ベッド１１は、複数の直線状のフレーム材が略矩形状に溶接などにより接合されてなるメインフレーム１２を備えている。メインフレーム１２の長手方向の端部には、頭部側にヘッドボード１３と、脚部側にフットボード１４とが固定されている。図２に示すように、メインフレーム１２は、台座部１５上に配置されている。メインフレーム１２は、図示しないリンク機構によって台座部１５に昇降可能に連結されている。台座部１５にはコロ１６が４個（図２では２個のみ図示）設けられており、該台座部１５が移動可能になっている。
【００１７】
図１及び２に示すように、メインフレーム１２の上側には、マットレス載置部を構成する上半身側マットレス載置部２１、中央マットレス載置部２２及び脚部側マットレス載置部２３が配置されている。中央マットレス載置部２２は、略四角環状を呈した外郭部を有しており、この外郭部で囲まれた領域には、該中央マットレス載置部２２に載置したマットレスが落ち込まないようにするためのメッシュ部（図示なし）が形成されている。中央マットレス載置部２２は、支持材２４によって、メインフレーム１２に対して平行になるように固定されている。
【００１８】
脚部側マットレス載置部２３は、第１載置部２５と第２載置部２６とを備えている。両載置部２５，２６とも略四角環状を呈した外郭部を有しており、これら外郭部で囲まれた各領域には、前述の中央マットレス載置部２２の場合と同様にメッシュ部（図示なし）が形成されている。第１載置部２５は、中央マットレス載置部２２のフットボード１４側に隣接して配置されている。第１載置部２５には中央マットレス載置部２２側にステー２７が固定されている。第１載置部２５は、メインフレーム１２に固定された支持材２８にステー２７を介して回動可能に連結されており、これによりベッド１１の長手方向に傾動可能になっている。第１載置部２５のフットボード１４側は、メインフレーム１２に固定されたストッパ２９（図２に図示）によって、その下方への傾動が規制されるようになっている。また、第１載置部２５がストッパ２９に当接したときには、該第１載置部２５はメインフレーム１２に対して平行になるとともに、中央マットレス載置部２２と同じ高さになるようになっている。
【００１９】
第２載置部２６は、第１載置部２５のフットボード１４側に隣接して配置されている。第２載置部２６には第１載置部２５側にステー３０が固定されている。第２載置部２６は、第１載置部２５のフットボード１４側に固定されたステー３１にステー３０を介して回動可能に連結されており、これによりベッド１１の長手方向に傾動可能になっている。第２載置部２６のフットボード１４側は、メインフレーム１２に固定されたストッパバー３２上に当接して支持されるようになっている。第１載置部２５がストッパ２９に当接した状態では、第２載置部２６はメインフレーム１２に対して平行になるとともに、第１載置部２５と同じ高さになるようになっている。
【００２０】
なお、脚部側マットレス載置部２３は、図示しないリンク機構（例えば特公平６−０６９４６７公報に開示された構成）によって、第１載置部２５と第２載置部２６との連結部が上昇及び下降可能になっている。また、前記連結部が上昇したとき、第２載置部２６のフットボード１４側の先端はストッパバー３２に接近するが、前記連結部は、第２載置部２６がストッパバー３２から外れる程には上昇しないようになっている。
【００２１】
上半身側マットレス載置部２１は、右載置部４１及び左載置部４２を備えている。両載置部４１，４２とも略四角環状を呈した外郭部を有しており、これら外郭部で囲まれた各領域には、前述の各マットレス載置部２２，２３の場合と同様にメッシュ部（図示なし）が形成されている。メインフレーム１２には、中央マットレス載置部２２のヘッドボード１３側に、支持バー４３が支持材４４（図２，３に図示）を介して固定されており、各載置部４１，４２の中央マットレス載置部２２側は、この支持バー４３に回動可能に支持されている。各載置部４１，４２は、それぞれ支持バー４３の右側及び左側に（ベッド１１の幅方向の外側に）、ベッド１１の長手方向に直交するとともに幅方向に平行な軸を中心としてそれぞれ独立して回動可能に支持されている。各載置部４１，４２のヘッドボード１３側は、メインフレーム１２に固定されたストッパバー４５によって、その下方への傾動が規制されるようになっている。また、各載置部４１，４２がストッパバー４５に当接したときには、各載置部４１，４２はメインフレーム１２に対して平行になるとともに、中央マットレス載置部２２と同じ高さになるようになっている。
【００２２】
メインフレーム１２には、各載置部４１，４２に対応する箇所に、それぞれ回転軸支持ステー４６が固定されている。各回転軸支持ステー４６には、それぞれ回転レバー４７が回動可能に支持されている。各回転レバー４７は、第１及び第２腕部４８，４９及び回転軸部５０からなっている。第１及び第２腕部４８，４９は、それらの基端側が回転軸部５０を挟むようにして、互いに相対回転不能に固定されている。
【００２３】
第１腕部４８の先端側は、アクチェータ５１のロッド５２の先端部に回動可能に連結されている。アクチェータ５１は、その本体側にモータ部及びボールネジ機構（ともに図示なし）を内蔵し、前記モータ部の回転運動を前記ボールネジ機構によってロッド５２の往復運動に変換可能にする構造を有している。アクチェータ５１は、メインフレーム１２に対して、上下方向に傾動可能に設けられている。
【００２４】
各載置部４１，４２には、案内レール５３が固定されている。第２腕部４９の先端側にはピン５４が固定されており、このピン５４が案内レール５３に形成された溝に係合するようになっている。ピン５４は、前記溝内を案内レール５３の長手方向に摺動可能になっている。
【００２５】
アクチェータ５１のロッド５２の突出長さが最も短い状態のときには、第１腕部４８の先端側が最もアクチェータ５１の本体側に接近するとともにこれにより第２腕部４９のピン５４が最も低い位置に配置されるようになっている。このとき、各載置部４１，４２は、ストッパバー４５に当接し、メインフレーム１２に対して平行になるとともに、中央マットレス載置部２２と同じ高さになるようになっている。
【００２６】
この状態から、アクチェータ５１のロッド５２が伸張すると、第１腕部４８の先端側がアクチェータ５１の本体側から遠ざかるとともにこれにより第２腕部４９のピン５４がより高い位置に配置されるようになっている。この状態では、各載置部４１，４２は、ストッパバー４５から離間し、ヘッドボード１３側が上昇するように傾動するようになっている。
【００２７】
なお、アクチェータ５１は、各載置部４１，４２側にそれぞれ独立して別個に設けられており、各アクチェータ５１はそれぞれ独立して駆動可能になっている。つまり、各載置部４１，４２は、それぞれ、独立したアクチェータ５１によって傾動可能になっている。
【００２８】
図１，３に示すように、右載置部４１と左載置部４２とは、ヘッドボード１３側が第１連結部材６０で連結されている。なお、図３では、中央マットレス載置部２２及び脚部側マットレス載置部２３などの図示を省略している。第１連結部材６０は、円筒部６１、該円筒部６１にその一部が往復動及び回動可能に収容された円柱状の２本のバー６２及び各載置部４１，４２に固定されるとともに各バー６２を各載置部４１，４２に対して回動可能に支持可能な支持部６３を備えている。各バー６２は、各支持部６３によって、主に各載置部４１，４２の回動軌跡の円周方向に回動可能に支持されるようになっているが、各バー６２を回動可能に支持するための回転軸を挿通させる孔の径のマージンなどによって前記回動軌跡円の径方向にも多少回動可能になっている。また、両バー６２は、円筒部６１内で互いに近接、離間及び相対回転可能になっている。つまり、第１連結部材６０は、各支持部６３同士の間隔などを変更できる伸縮可能な構造となっている。また、各バー６２には、鍔部６４が形成されており、円筒部６１が軸方向へ移動することを規制することが可能になっている。
【００２９】
第１連結部材６０と支持バー４３とは、複数（本実施形態では５個）の第２連結部材６５で連結されている。第２連結部材６５は、円筒部６６を備えている。円筒部６６の第１連結部材６０側は、円筒部６１に固定された支持部６７によって回動可能に第１連結部材６０に連結されている。円筒部６６を回動可能に支持部６７に連結するための回転軸は円筒部６１の軸方向に平行に配置されているが、円筒部６６は、前記回転軸を挿通するための孔の径のマージンなどによって前記回転軸方向にも多少傾動可能になっている。円筒部６６の支持バー４３側には、円柱状のバー６８の一部が往復動及び回動可能に収容されている。バー６８の支持バー４３側は、支持バー４３に固定された支持部６９によって回動可能に該支持バー４３に連結されている。バー６８を回動可能に支持部６９に連結するための回転軸は支持バー４３の長手方向に平行に配置されているが、バー６８は、前記回転軸を挿通するための孔の径のマージンなどによって前記回転軸方向にも多少傾動可能になっている。したがって、第２連結部材６５は、支持部６７と支持部６９との間隔などを変更できる伸縮可能な構造となっている。
【００３０】
なお、円筒部６６、支持部６７，６９及びバー６８によって第２連結部材６５が構成されるとともに、第１連結部材６０及び第２連結部材６５によって補助支持部材が構成されている。この補助支持部材は、上半身側マットレス載置部２１の一部を構成している。
【００３１】
これらにより、右載置部４１と左載置部４２とを、該各載置部４１，４２や第１及び第２連結部材６０，６５に無理な力を負荷することなく、各載置部４１，４２のメインフレーム１２に対する傾斜角度が互いに異なるように傾動させることができるようになっている。
【００３２】
ベッド１１は、制御装置７０を備えている。制御装置７０は、各アクチェータ５１の駆動をコントロールすることができるようになっている。制御装置７０は、例えば、各アクチェータ５１内に設けられたエンコーダなどからの信号に基づいて、各ロッド５２の移動量を把握することができるようになっている。制御装置７０は、このロッド５２の移動量に基づいて、各載置部４１，４２の回動量を算出することができるようになっている。また、制御装置７０は、これら各載置部４１，４２の回動量を比較し、その差が所定量以下になるようにアクチェータ５１の動作をコントロールすることができるようになっている。制御装置７０は、図４に示すように、各載置部４１，４２の回動量の差によって生じる第１連結部材６０のメインフレーム１２に対する傾斜角度αが所定値（例えば、４０度）以下になるようにアクチェータ５１の動作をコントロールするようになっている。
【００３３】
図４に示すように、ベッド１１のマットレス載置部に載置されたマットレスＭ上には、枕７１が載置されるようになっている。枕７１は、例えばエステル系発泡ウレタンからなり、図５，６に示すように、上面側が左右方向に、中心ほど低くなるように形成されている。図５は枕７１の心材に布カバーを被せた状態を示す斜視図であり、図６はこの布カバーの図示を省略し心材のみを示した図５の側面図である。図６に示すように、枕７１の心材の上面側には、複数の凹凸部が形成され、頭部との間の通気性をより高くすることができるようになっている。
【００３４】
本実施形態では、以下のような効果を得ることができる。
（１）  上半身側マットレス載置部２１の各載置部４１，４２をベッド１１の幅方向に平行な軸を中心としてアクチェータ５１によってそれぞれ独立して回動可能に設置した。さらに、両載置部４１，４２を伸縮可能な第１連結部材６０で互いに連結するとともに第１連結部材６０と支持バー４３とを伸縮可能な第２連結部材６５で連結した。これにより、マットレス載置部上に載置したマットレスを、ベッド１１の長手方向のみならず幅方向にも傾斜させることが可能になる。これにより、体圧の分散を図ることが可能になるため、床ずれの防止が可能になる。また、前記マットレスの幅方向への傾斜により、寝返り、着替え、飲食時の気道の確保、体を起こすこと、片麻痺の被介護者の肩落ちの修正などが容易になる。また、両載置部４１，４２の間に配置された第１及び第２連結部材６０，６５は伸縮可能な構造であるため、各載置部４１，４２の傾斜角度が互いに異なる状態でも、両載置部４１，４２間に大きな凹凸が形成されることがなくなる。したがって、前記マットレス上の被介護者は快適な姿勢を保つことができる。さらに、各載置部４１，４２はアクチェータ５１によって互いに独立して回動可能となっているため、前記マットレスの傾動の自由度が高くなる。
【００３５】
（２）  各載置部４１，４２の回動量の差によって生じる第１連結部材６０のメインフレーム１２に対する傾斜角度αが所定値以下になるように、アクチェータ５１の動作を制御装置７０によってコントロールできるようにした。これにより、ベッド１１の幅方向についての前記マットレスの傾斜角度が前記所定値を超えることがなくなる。したがって、前記マットレス上の被介護者を前記幅方向に傾斜させすぎる虞がなくなる。
【００３６】
（３）  両載置部４１，４２を、ベッド１１の幅方向に平行な軸を中心として回動可能に設置した。つまり、両載置部４１，４２を、ベッド１１の幅方向に傾斜しないように回動可能とした。これによれば、例えば、各載置部４１，４２に手すりを設置した場合に、前記回動によって該手すりが前記幅方向に傾斜する虞がなくなる。
【００３７】
（４）  前記マットレス上に、上面側が左右方向に、中心ほど低くなるように形成した枕７１を載置するようにした。これによれば、前記マットレスがベッド１１の幅方向（左右方向）に傾斜しても、被介護者の頭部が枕から外れにくくなり、頭部がより安定するようになる。
【００３８】
（５）  前記補助支持部材は、複数の棒状の部材が組み合わされて構成されている。これにより、該補助支持部材は、例えば板材によって構成されている場合に比較して、各載置部４１，４２の回動に合わせ円滑に動くことができる。したがって、マットレス載置部上のマットレスの傾動の自由度が高くなる。
【００３９】
実施の形態は前記に限定されるものではなく、例えば、以下の様態としてもよい。
○  両載置部４１，４２に手すりを設けてもよい。例えば、図４に示すように、両載置部４１，４２の外側に手すり８０を設ける。この場合、マットレスの横ずれの防止が可能になるとともに、該マットレス上の被介護者の上半身側がベッド１１から滑落する虞がなくなる。なお、手すり８０は、図４に図示されているのみで、図１〜３における図示は省略されている。
【００４０】
○  制御装置７０に、各アクチェータ５１をそれぞれ独立して操作可能な操作ボタン及び両アクチェータ５１を同時に操作可能な操作ボタンが設けられたリモートコントロール部を接続してもよい。これによれば、被介護者自身によるマットレスの傾動操作が容易に可能になる。また、各アクチェータ５１を同時に同方向に駆動させる場合には、前記同時操作可能な操作ボタンによって、前記駆動のための操作が容易になる。
【００４１】
○  第１及び第２連結部材６０，６５の上側に、保護カバーを設けてもよい。例えば、この保護カバーで、支持部６３，６７，６９や、円筒部６１の両端部近傍、円筒部６６の支持バー４３側の端部近傍の上側を覆うようにするとよい。この場合、支持部６３，６７，６９やバー６２，６８に塗布された潤滑油や防錆油のマットレス側への付着の防止が可能になるとともに、該マットレス側の表面生地などの第１及び第２連結部材６０，６５側への巻き込みの防止が可能になる。
【００４２】
○  制御装置７０は、各載置部４１，４２の回動量の差が所定量以下になるようにアクチェータ５１の動作をコントロールしないものであってもよい。
○  各載置部４１，４２は、ベッド１１の長手方向への傾動に加え、ベッド１１の幅方向にも傾動する構造であってもよい。
【００４４】
○  第１連結部材６０側と両載置部４１，４２側とは、球面継手によって連結されていてもよい。また、第２連結部材６５側と第１連結部材６０側及び支持バー４３側とは、同じく球面継手によって連結されていてもよい。これによれば、前記球面継手による各連結部分がより自由に回動可能になる。
【００４５】
○  前記実施形態では、補助支持部材を、断面円形状の棒状部材を用いて構成したが、断面矩形状の棒状部材を用いて構成してもよい。なお、この断面矩形状の棒状部材は、断面の縦横寸法の大きく異なる扁平なものであってもよい。
【００４６】
次に、前記実施形態から把握できる請求項に記載した発明以外の技術的思想について、その効果とともに以下に記載する。
（１）  前記第１及び第２連結部材が複数の伸縮可能な棒状の部材を備えている請求項１〜５のいずれか一項に記載のベッド。この場合、前記第１及び第２連結部材は、例えば板材によって構成されている場合に比較して、前記右及び左載置部の回動に合わせ円滑に動くことができる。したがって、前記マットレス載置部上のマットレスの傾動の自由度が高くなる。
【００４７】
（２）  前記右及び左載置部の反回動軸側を互いに連結する第１連結部材と、該第１連結部材と前記回動軸側とを連結する第２連結部材とを備えている技術的思想（１）に記載のベッド。
【００４８】
（３）  前記右及び左載置部に手すりが設けられている請求項３に記載のベッド。この場合、マットレスの横ずれの防止が可能になるとともに、該マットレス上の被介護者の上半身側がベッドから滑落する虞がなくなる。
【００４９】
（４）  前記右及び左載置部を同時に回動可能な操作ボタンを備えた請求項１〜５及び技術的思想（１）〜（３）のいずれか一項に記載のベッド。これによれば、各アクチェータを同時に同方向に駆動させる場合には、前記操作ボタンによって、前記駆動のための操作が容易になる。
【００５１】
【発明の効果】
以上詳述したように、請求項１〜５に記載の発明によれば、ベッドにおいて、床ずれの防止が可能になるとともに、寝返り、着替え、飲食時の気道の確保、体を起こすこと、片麻痺の被介護者の肩落ちの修正などが容易になり、傾動の自由度が高くなるとともに、被介護者が快適な姿勢を保つことが可能になる。
【図面の簡単な説明】
【図１】一実施形態のベッドの概略を示す一部破断平面図。
【図２】図１のＡ−Ａ線断面図。
【図３】一実施形態のベッドの上半身側を示す一部省略斜視図。
【図４】同じくベッドを頭部側から見た状態を示す模式図。
【図５】同じく枕の概略を示す斜視図（カバーを被せた状態）。
【図６】同じく枕の概略を示す側面図（カバーを外した状態）。
【符号の説明】
１１…ベッド、２１…上半身側マットレス載置部、２２…中央マットレス載置部、２３…脚部側マットレス載置部（２１，２２及び２３はマットレス載置部を構成する）、４１…右載置部、４２…左載置部、５１…アクチェータ、６０…第１連結部材、６５…第２連結部材（６０及び６５は補助支持部材を構成する）、７０…制御装置、７１…枕、８０…手すり。
【図１】
0003712600.tif 000002
【図２】
0003712600.tif 000003
【図３】
0003712600.tif 000004
【図４】
0003712600.tif 000005
【図５】
0003712600.tif 000006
【図６】
0003712600.tif 000007